(57)【要約】【課題】大きさの異なる捕縛対象を充分に拘束でき、操作が簡単で且つ軽量化でき、力の弱い女性等でも充分に使用できる捕縛用刺股を提供する。【解決手段】柄１０の先端の支持材１２と、支持材１２の各端部に装着したラチェット１４と、く字状に曲折した、中途部をラチェット１４に装着した一対のアーム１６，１６とを具備し、一対のアーム１６，１６の各々には、ラチェット１４から支持材１２の端部上方に延出した延出部１６ａと、支持材１２のＵ字状部１２ａの内方にラチェット１４から突出した突出部１６ｂとを形成し、且つ一対のアーム１６，１６の各々を、延出部１６ａの先端間の開口部２０から進入した捕縛対象がアーム１６，１６の各突出部を押したとき、一対のアーム１６，１６内に前記捕縛対象を拘束できるように、開口部２０の開口幅を縮小する方向のみに一対のアーム１６，１６の回動方向をラチェット１４によって規制する。【選択図】図１
2012026688.tif 000002
【特許請求の範囲】
【請求項１】
棒状の柄の先端に装着されたＵ字状の支持材と、前記支持材の端部の各々に装着されたラチェットと、く字状に曲折され、中途部が前記ラチェットの各々に所定方向に回動可能に装着されている一対のアームとを具備し、
前記一対のアームの各々には、前記ラチェットから前記支持体の端部上方に延出された延出部と、前記支持体のＵ字状部の内方に前記ラチェットから突出された突出部とが形成され、
且つ前記一対のアームの各々は、前記延出部の各先端間に形成された開口部から進入した捕縛対象によって前記突出部が押されたとき、前記開口部の開口幅を縮小して前記一対のアーム内に前記捕縛対象を拘束できるように、その回動方向が前記ラチェットによって規制されていることを特徴とする捕縛用刺股。
【請求項２】
前記一対のアームの各々は、その延出部が突出部よりも長く、前記延出部の各先端が交差する位置まで回動可能であることを特徴とする請求項１に記載の捕縛用刺股。
【請求項３】
前記一対のアームは、前記延出部の各先端間に捕縛対象が進入可能の開口部が形成されたとき、前記開口部に対応する前記突出部の各先端間には、前記捕縛対象が当接しても損傷を与えないように保護部材が脱着可能に掛け渡されていることを特徴とする請求項１に記載の捕縛用刺股。
【請求項４】
前記ラチェットには、前記アームの回動方向の規制又はその規制の解除を行う規制・解除部材が設けられていることを特徴とする請求項１に記載の捕縛用刺股。
【請求項５】
前記柄、一対のアーム及び支持部材が、中空部材で形成されていることを特徴とする請求項１に記載の捕縛用刺股。
【請求項６】
前記一対のアームは、その延出部が外側方向に膨らむように湾曲状に曲折されて形成され、且つ前記突出部が前記延出部方向に膨らむように湾曲状に曲折されて形成されていることを特徴とする請求項１に記載の捕縛用刺股。
【発明の詳細な説明】
【技術分野】
【０００１】
本発明は、棒状の柄の先端に装着されたＵ字状の支持材と、前記支持材の端部の各々に回動可能に装着されたアームとを具備し、捕縛対象の胴又は足を一対のアーム内に拘束する捕縛用刺股に関するものである。
【背景技術】
【０００２】
凶器を保持した犯人や動物を捕縛する捕縛具として、従来より刺股が使用されている。従来の刺股は、柄の先端にＵ字状部を形成し、このＵ字状部内に人や動物等の捕縛対象を壁等の障害物を利用して押し込んで捕縛するものであった。かかる従来の刺股に対して、壁等が存在しなくても捕縛対象を捕縛できる刺股が、下記特許文献１に記載されている。
【０００３】
下記特許文献１には、柄の先端部に固着されたＵ字状部の各先端部に回動可能に設けられている、く字状に曲折された回動アームと、一対の回動アームを開放状態に保持する開放保持装置と、前記一対の回動アーム内に押し込まれた捕縛対象に押されて前記開放保持装置が解除され、前記一対の回動アームとＵ字状部とによって形成された環状部内に捕縛対象を閉じ込める刺股が記載されている。また、特許文献１には、前記一対の回動アームとＵ字状部とによって形成された環状部内に閉じ込まれた捕縛対象を、前記環状部を形成する回動アームに押し付けて拘束状態とするＴ字状の小刺股が柄に設けられている刺股も記載されている。
【先行技術文献】
【特許文献】
【０００４】
【特許文献１】特開２００７−２７８６８５号公報
【発明の概要】
【発明が解決しようとする課題】
【０００５】
前記特許文献１に記載されている刺股によれば、壁等の障害物のない場所でも、捕縛対象の自由度をある程度妨げることは可能である。しかし、特許文献１に記載された刺股では、一対の回動アームとＵ字状部とによって形成された環状部は、その大きさが捕縛対象の大きさ等に応じて変更できないため、環状部内の捕縛対象を充分に拘束状態とすることは困難である。また、環状部内の捕縛対象を充分な拘束状態とすべく、環状部内に閉じ込めた捕縛対象を、環状部を形成する回動アームに押し付けるＴ字状の小刺股を柄に設けた刺股では、その操作が複雑化し、凶器を保持した犯人に対面している非常事態の状況下では充分な操作ができないおそれがある。しかも、かかる刺股は、重量が重くなり、力の弱い女性や子供、老人には取り扱い困難となるおそれもある。
【０００６】
そこで、本発明は、前記の課題を解決するためになされたものであって、捕縛対象の大きさが異なっても、捕縛対象を充分に拘束でき、操作が簡単で且つ軽量化でき力の弱い女性等でも充分に使用できる捕縛用刺股を提供することを目的とする。
【課題を解決するための手段】
【０００７】
前記の目的を達成するためになされた、特許請求の範囲の請求項１に記載された捕縛用刺股は、棒状の柄の先端に装着されたＵ字状の支持材と、前記支持材の端部の各々に装着されたラチェットと、く字状に曲折され、中途部が前記ラチェットの各々に所定方向に回動可能に装着されている一対のアームとを具備し、前記一対のアームの各々には、前記ラチェットから前記支持体の端部上方に延出された延出部と、前記支持体のＵ字状部の内方に前記ラチェットから突出された突出部とが形成され、且つ前記一対のアームの各々は、前記延出部の各先端間に形成された開口部から進入した捕縛対象によって前記突出部が押されたとき、前記開口部の開口幅を縮小して前記一対のアーム内に前記捕縛対象を拘束できるように、その回動方向が前記ラチェットによって規制されていることを特徴とする。
【０００８】
請求項２に記載の捕縛用刺股は、請求項１に記載されたものであって、前記一対のアームの各々は、その延出部が突出部よりも長く、前記延出部の各先端が交差する位置まで回動可能であることを特徴とする。
【０００９】
請求項３に記載の捕縛用刺股は、請求項１に記載されたものであって、前記一対のアームは、前記延出部の各先端間に捕縛対象が進入可能の開口部が形成されたとき、前記開口部に対応する前記突出部の各先端間には、前記捕縛対象が当接しても損傷を与えないように保護部材が脱着可能に掛け渡されていることを特徴とする。
【００１０】
請求項４に記載の捕縛用刺股は、請求項１に記載されたものであって、前記ラチェットには、前記アームの回動方向の規制又はその規制の解除を行う規制・解除部材が設けられていることを特徴とする。
【００１１】
請求項５に記載の捕縛用刺股は、請求項１に記載されたものであって、前記柄、一対のアーム及び支持部材が、中空部材で形成されていることを特徴とする。
【００１２】
請求項６に記載の捕縛用刺股は、請求項１に記載されたものであって、前記一対のアームは、その延出部が外側方向に膨らむように湾曲状に曲折されて形成され、且つ前記突出部が前記延出部方向に膨らむように湾曲状に曲折されて形成されていることを特徴とする。
【発明の効果】
【００１３】
本発明に係る捕縛用刺股では、一対のアームが、その延出部の先端間に形成された開口部の開口幅を縮小する方向のみに回動するように、回動方向がラチェットによって規制されている。このため、この開口部から押し込まれた捕縛対象によって、一対のアームの各突出部が押し下げられたとき、一対のアームが回動し、捕縛対象を一対のアーム内に囲い込み拘束状態とすることができる。しかも、かかる一対のアームの回動程度は、捕縛対象の大きさによって異なり、大きさの異なる捕縛対象でも一対のアーム内に拘束状態にして捕縛できる。更に、本発明に係る捕縛用刺股は、棒状の柄の先端に装着したＵ字状の支持材の各端部に設けたラチェットに、く字状に曲折した一対のアームを装着するという簡単な構成であるため、その操作が簡単で且つ軽量化も図ることができ、力の弱い女性等でも充分に使用できる。
【図面の簡単な説明】
【００１４】
【図１】本発明に係る捕縛用刺股の一例を示す正面図である。
【図２】図１に示すラチェット１４を説明する正面図及び側面図である。
【図３】図１に示す捕縛用刺股のアーム１６，１６の開口部２０から捕縛対象の犯人の胴部２２が押し込まれた状態を説明する説明図である。
【図４】図３に示す捕縛対象の犯人の胴部２２がアーム１６，１６内に捕縛された状態を説明する説明図である。
【図５】図１に示す捕縛用刺股のアーム１６，１６内に捕縛対象の犯人の大腿部２４が捕縛された状態を説明する説明図である。
【図６】本発明に係る捕縛用刺股の他の例を示す正面図である。
【図７】図６に示す保護部材２６の正面図及び断面図である。
【発明を実施するための形態】
【００１５】
本発明に係る捕縛用刺股の実施例を、図面を用いて詳細に説明するが、本発明の範囲はこれらの実施例に限定されるものではない。図１は、本発明に係る捕縛用刺股の一例であって、金属製の捕縛用刺股を示す。図１に示す捕縛用刺股は、棒状の柄１０の先端部にＵ字状の支持材１２の中途部が固着されている。この支持材１２の端部の各々には、ラチェット１４，１４が装着されている。かかるラチェット１４，１４の各々には、く字状に曲折されたアーム１６の中途部が所定方向に回動可能に装着されている。このラチェット１４，１４に装着されたアーム１６，１６の各々は、ラチェット１４から支持材１２の端部上方に延出された延出部１６ａと、支持材１２のＵ字状部１２ａの内方にラチェット１４から突出された突出部１６ｂとから構成されている。かかるアーム１６の延出部１６ａは、突出部１６ｂよりも長く、外側方向に膨らむように湾曲状に曲折されており、突出部１６ｂは延出部１６ａの方向に膨らむように湾曲状に曲折されている。この一対のアーム１６，１６は、その延出部１６ａ，１６ａの湾曲状の部分が対向するようにラチェット１４，１４に装着されている。かかる一対のアーム１６，１６の各先端部には、捕縛対象が当接しても、当接部分に損傷を与えることを防止できるように、プラスチック製の保護キャップ１８，１８，１８，１８が被着されている。
【００１６】
図１に示すラチェット１４は、図２（ａ）（ｂ）に示す様に、支持材１２の先端部に装着された円筒状のケーシング内に歯車（図示せず）と歯止め爪（図示せず）とが設けられており、一端部に歯車が設けられた回転軸１４ｂの他端部にアーム１６が装着されている。更に、歯止め爪に連結されたレバー１４ａが設けられており、図２（ａ）に示すレバー１４ａの位置では、ラチェット１４の歯車と歯止め爪とが係止されて、歯車は所定方向のみに回動するように規制される。このため、アーム１６も所定方向のみに回動する。かかるレバー１４ａを、図２（ａ）の位置１４ａ′まで回動すると、歯車と歯止め爪との係止が解除され、歯車は自在に回動可能となり、アーム１６も回動自在となる。従って、レバー１４ａは、アーム１６の回動方向を規制し又はその規制を解除する規制・解除部材である。尚、本発明で用いるラチェット１４としては、市販されているラチェットを採用できる。
【００１７】
図２（ａ）（ｂ）に示すラチェット１４，１４を具備する図１に示す捕縛用刺股では、ラチェット１４，１４の各レバー１４ａを１４ａ′［図２（ａ）の点線］の位置とし、一対のアーム１６，１６を回動自在として、延出部１６ａ，１６ａの開口部２０の開口幅Ｗを捕縛対象の胴や足よりも幅広に拡幅する。次いで、レバー１４ａを図２（ａ）に示す実線の位置に戻すことによって、図１に示す様に、延出部１６ａ，１６ａの開口部２０の開口幅Ｗが、捕縛対象の胴や足よりも幅広に拡幅される。かかる図１に示す捕縛用刺股では、一対のアーム１６，１６は、延出部１６ａ，１６ａの開口部２０の開口幅Ｗが縮小方向のみに回動できるように規制される。具体的には、アーム１６，１６は、その突出部１６ｂ、１６ｂが矢印Ａ方向（支持材１２の方向）のみに回動でき、延出部１６ａ，１６ａは矢印Ｂ方向のみに回動できる。このため、一対のアーム１６，１６で囲まれた包囲部Ｓの面積は、一対のアーム１６，１６の回動に伴って縮小する。
【００１８】
この様な図１に示す捕縛用刺股を用いて刃物等の凶器を持った犯人を捕縛する際には、図３に示す様に、捕縛対象の犯人の胴部２２がアーム１６，１６の延出部１６ａ，１６ａの開口部２０から内方に押し込まれ、胴部２２によって突出部１６ｂ、１６ｂが矢印Ａ方向に押されたとき、一対のアーム１６，１６の延出部１６ａ，１６ａが矢印Ｂ，Ｂ方向に回動する。このため、開口部２０の開口幅Ｗは縮小され、図４に示す様に、一対のアーム１６，１６で囲まれた包囲部Ｓ内に胴部２２を拘束できる。かかる開口部２０の開口幅Ｗの縮小程度は、胴部２２の大きさによって異なるため、犯人が太っていても痩せていても包囲部Ｓ内に胴部２２を拘束できる。ところで、アーム１６の回動方向を規制するラチェット１４のレバー１４ａを、胴部２２が拘束された犯人によって解除位置に回動されて逃走されることが考えられる。しかし、レバー１４ａが、図２（ｂ）に示す様に、ラチェット１４の表面から突出する部分が薄く、且つ柄１０を掴む操作者による前後、左右の揺さぶりや回転によって、犯人は静止状態で立っていることができず、犯人によるレバー１４ａの操作は不可能である。
【００１９】
図３及び図４では、犯人の胴部２２を拘束状態とする場合について説明してきたが、図１に示す捕縛用刺股によって、胴部２２よりも細い太腿部を拘束状態とすることができる。図１に示す捕縛用刺股を用いて犯人の太腿部を拘束状態とした場合を図５に示す。図５に示す捕縛用刺股では、一対のアーム１６，１６が、その延出部１６ａが突出部１６ｂよりも長く形成されており、延出部１６ａ，１６ａの各先端が交差する位置まで回動可能である。このため、一対のアーム１６，１６の開口部２０から押し込まれた犯人の大腿部２４によって押された突出部１６ｂ、１６ｂは、図５に示す様に、支持材１２の位置まで回動できる。かかる突出部１６ｂ、１６ｂの回動によって、延出部１６ａ，１６ａの各先端が交差し、一対のアーム１６，１６によって囲まれた包囲部Ｓを、図４に示す状態の包囲部Ｓよりも小面積化でき、犯人の太腿部２４を拘束できる。尚、図５に示す一対のアーム１６，１６によって囲まれた包囲部Ｓは、一対のアーム１６，１６の突出部１６ｂ，１６ｂが支持材１２の位置まで回動しているため、延出部１６ａ，１６ａと支持材１２によって囲まれている面積と略等しい。
【００２０】
図１に示す捕縛用刺股では、一対のアーム１６，１６の突出部１６ｂ、１６ｂの先端は露出されている。この突出部１６ｂ、１６ｂの先端部の各々には、プラスチック製の保護キャップ１８が被着されているが、犯人の胴部２２や大腿部２４に突出部１６ｂ、１６ｂの先端が突き当たって怪我をするおそれがある。このため、図６に示す様に、突出部１６ｂ、１６ｂの先端部に掛け渡される保護部材２６を被着することが好ましい。かかる保護部材２６は、変形可能なプラスチック製である。この保護部材２６の形状は、その正面図である図７（ａ）に示す様に、図１に示す突出部１６ｂ、１６ｂの先端部の形状に倣った湾曲状のチューブ状の保護部材２６である。また、保護部材２６の横断面形状は、図７（ａ）のＸ−Ｘにおける断面図である図７（ｂ）に示す様に、突出部１６ｂ、１６ｂの先端部を挿入するスリット３０が形成されている。かかる保護部材２６は、そのスリット３０を下方に向けて、図６に示す様に、突出部１６ｂ、１６ｂの先端部に掛け渡して装着する。この様に、突出部１６ｂ、１６ｂの先端は保護部材２６内に挿入されており、犯人の胴部２２や大腿部２４に突出部１６ｂ、１６ｂの先端が突き当たって怪我をするおそれを解消できる。かかる保護部材２６は、犯人の胴部２２や大腿部２４によって押された突出部１６ｂ、１６ｂが回動し、突出部１６ｂ、１６ｂが下方を向いた際に、突出部１６ｂ、１６ｂの先端部から外れる。しかし、この際には、突出部１６ｂ、１６ｂの先端は、下方を向いているため、犯人の胴部２２や大腿部２４に突出部１６ｂ、１６ｂの先端が突き当たるおそれはない。尚、保護部材２６は、支持材１２に一端部が巻き付いている紐２８の他端部に取り付けられているため、突出部１６ｂ、１６ｂの先端部から外れても紛失することを防止できる
【００２１】
図１〜図６に示す捕縛用刺股は、その構造が簡単であって軽量化が可能であり、且つ操作も簡単であるため、操作の熟練を要せず、力の弱い女性や老人でも取り扱うことができる。また、柄１０、一対のアーム１６，１６及び支持材１２を中空部材、特に中空アルミパイプによって形成することによって、更に一層の軽量化を図ることができる。
【産業上の利用可能性】
【００２２】
本発明に係る捕縛用刺股は、軽量で且つ操作も簡単であるため、女性の多い職場で不特定多数が自由に出入できる職場、例えば銀行やデパート、スーパーマーケット、夜間一人となることの多いコンビニエンスストア等で護身用として好適に備えることができる。また、本発明に係る捕縛用刺股は、犯人の捕縛用のみならず、動物の捕獲用にも用いることができる。
【符号の説明】
【００２３】
１０は柄、１２は支持材、１２ａはＵ字状部、１４はラチェット、１４ａはレバー、１４ｂは回転軸、１６はアーム、１６ａは延出部、１６ｂは突出部、１８は保護キャップ、２０は開口部、２２は胴部、２４は大腿部、２６は保護部材、２８は紐、３０はスリット、Ｓは包囲部、Ｗは開口幅である。
【図１】
2012026688.tif 000003
【図２】
2012026688.tif 000004
【図３】
2012026688.tif 000005
【図４】
2012026688.tif 000006
【図５】
2012026688.tif 000007
【図６】
2012026688.tif 000008
【図７】
2012026688.tif 000009